(57)【要約】【課題】ユーザの好みに応じた風向き調整による快適な空気調和を実現する空気調和装置用ワイヤレスリモコンユニットを提供する。【解決手段】空気調和装置用ワイヤレスリモコンユニット７は、室内機の吹出し口に設けられた上下フラップおよび／または左右ルーバーの位置の制御指令を行う制御スイッチである十字形釦８と、十字形釦８のオン操作に基づく電気信号入力時間に対応する所定量だけ上下フラップおよび／または左右ルーバーの回動指令を出力するリモコン側制御部１２と、を備えている。オン操作は、十字形釦８の長押しにより行われる。【選択図】図２
2020085391.tif 000002
【特許請求の範囲】
【請求項１】
室内機の吹出し口に設けられた上下フラップおよび／または左右ルーバーの位置の制御指令を行う制御スイッチと、
前記制御スイッチのオン操作に基づく電気信号入力時間に対応する所定量だけ前記上下フラップおよび／または前記左右ルーバーの回動指令を出力する制御部と、
を備えている空気調和装置用ワイヤレスリモコンユニット。
【請求項２】
前記オン操作は、前記制御スイッチの長押しにより行われる請求項１に記載の空気調和装置用ワイヤレスリモコンユニット。
【請求項３】
前記吹出し口から吹き出す空気の流れ方向を３次元で表示させる表示部を備えた請求項１または２に記載の空気調和装置用ワイヤレスリモコンユニット。
【請求項４】
前記上下フラップおよび／または前記左右ルーバーの最大開口時または最大閉口時に通知する通知部を備えた請求項１から３のいずれかに記載の空気調和装置用ワイヤレスリモコンユニット。
【請求項５】
前記上下フラップおよび／または前記左右ルーバーの位置または回動速度を切り替えることができるモード切替釦を備え、
前記制御部は、前記モード切替釦による切替後のモードが回動速度の場合に、前記制御スイッチによって回動速度を変化させる請求項１から４のいずれかに記載の空気調和装置用ワイヤレスリモコンユニット。
【請求項６】
室内機と、請求項１から５のいずれかに記載の空気調和装置用ワイヤレスリモコンユニットとを備えた空気調和装置。
【請求項７】
先端に蓄光部が設けられた前記上下フラップおよび／または前記左右ルーバーを備えている請求項６に記載の空気調和装置。
【発明の詳細な説明】
【技術分野】
【０００１】
本発明は、空気調和装置用ワイヤレスリモコンユニット及び空気調和装置に関するものである。
【背景技術】
【０００２】
例えば家庭用の空気調和装置では、室内機の吹出し口に上下フラップおよび／または左右ルーバーを備えたものが知られている。上下フラップおよび／または左右ルーバーの回動位置は、リモコンによって操作できるようになっている（下記特許文献１及び２参照）。
【先行技術文献】
【特許文献】
【０００３】
【特許文献１】特開２００３−２４０３２５号公報
【特許文献２】特開２００２−１３７９２号公報
【発明の概要】
【発明が解決しようとする課題】
【０００４】
特許文献１及び２には、室内機の吹出し口に設けた上下フラップおよび／または左右ルーバーをそれぞれ制御可能な十字形釦を備えたリモコン上で、十字形釦のスイッチオン操作によって上下フラップおよび／または左右ルーバーの位置を回動させることが開示されている。この時、十字形釦の上下左右いずれかを１回押すと、その方向に上下フラップおよび／または左右ルーバーが一定量だけ回動するようになっている。このため、十字形釦のスイッチオン操作によって制御される上下フラップおよび／または左右ルーバーの回動位置は段階的にしか調整できない。これでは、必ずしもユーザにとって快適な風向きを実現できているとはいえない。
【０００５】
また、特許文献２では、空気調和装置用ワイヤレスリモコンのディスプレイ上に、上下フラップおよび／または左右ルーバーの設定位置（風向）を表示させることが開示されている。しかし、ディスプレイ上で設定位置を正確に表示させることは画面スペースの制約から、簡略化させなければならず、実際の位置とは一致しないことが多い。このため、ユーザの好みに応じた風向調整が困難となっている。
【０００６】
本開示は、このような事情に鑑みてなされたものであって、ユーザの好みに応じた風向調整を可能とする空気調和装置用ワイヤレスリモコンユニット及び空気調和装置を提供することを目的とする。
【課題を解決するための手段】
【０００７】
本開示の一態様に係る空気調和装置用ワイヤレスリモコンユニットは、室内機の吹出し口に設けられた上下フラップおよび／または左右ルーバーの位置の制御指令を行う制御スイッチと、前記制御スイッチのオン操作に基づく電気信号入力時間に対応する所定量だけ前記上下フラップおよび／または前記左右ルーバーの回動指令を出力する制御部と、を備えている。
【０００８】
室内機の吹出し口に設けた上下フラップおよび／または左右ルーバーの位置を、制御スイッチのオン操作に基づく電気信号入力時間に対応する所定量だけ回動させることとした。これにより、上下フラップおよび／または左右ルーバーを任意の位置にユーザの意図に応じて設定でき、その結果、ユーザの好みに応じた快適な風向きが得られることになる。
【０００９】
さらに、本開示の一態様に係る空気調和装置用ワイヤレスリモコンユニットでは、前記オン操作は、前記制御スイッチの長押しにより行われる。
【００１０】
制御スイッチの長押しによって上下フラップおよび／または左右ルーバーの位置を任意量だけ回動させることができるので、ユーザの好みに応じた操作が可能となる。
具体的な制御スイッチとしては、例えば、十字形釦、ジョイスティック等が挙げられる。
【００１１】
さらに、本開示の一態様に係る空気調和装置用ワイヤレスリモコンユニットでは、前記吹出し口から吹き出す空気の流れ方向を３次元で表示させる表示部を備えている。
【００１２】
室内機の吹出し口から吹き出す空気の流れを表示部に３次元で表示させることによって、ユーザは空気の流れを直感的に把握することができる。これにより、ユーザは表示部を見ながら、上下フラップおよび／または左右ルーバーの位置調整を好みに応じて行うことができる。
【００１３】
さらに、本開示の一態様に係る空気調和装置用ワイヤレスリモコンユニットでは、前記上下フラップおよび／または前記左右ルーバーの最大開口時または最大閉口時に通知する通知部を備えている。
【００１４】
前記上下フラップおよび／または前記左右ルーバーの最大開口時または最大閉口時にユーザに通知させることによって、ユーザが制御スイッチの長押しを過剰に長く続けることを回避できる。通知部は、制御部によって制御され、例えば、音や光を発するように構成されている。
【００１５】
さらに、本開示の一態様に係る空気調和装置用ワイヤレスリモコンユニットでは、前記上下フラップおよび／または前記左右ルーバーの位置または回動速度を切り替えることができるモード切替釦を備え、前記制御部は、前記モード切替釦による切替後のモードが回動速度の場合に、前記制御スイッチによって回動速度を変化させる。
【００１６】
制御スイッチを用いて、前記上下フラップおよび／または前記左右ルーバーの位置以外に、回動速度についても調整できるようにすることとした。これにより、ユーザが上下フラップおよび／または左右ルーバーの大まかな位置決め時には回動速度を速く、微調整時には回動速度を遅く設定するなど、ユーザの好みに応じた回動速度操作を行うことができる。
【００１７】
また、本開示の一態様に係る空気調和装置では、前記上下フラップおよび／または前記左右ルーバーの先端に蓄光部を設けてもよい。
【００１８】
前記上下フラップおよび／または前記左右ルーバーの先端に蓄光部を設けることによって、室内が暗い場合であっても位置を視認できるので、ユーザは実際の位置を目視で確認しながら、空気調和装置用ワイヤレスリモコン操作で位置調整を行うことができる。蓄光部としては、例えば、上下フラップや左右ルーバーの先端に蓄光塗料を塗布することによって設けることができる。
【００１９】
また、前記空気調和装置用ワイヤレスリモコンの表示部において、前記室内機の吹出し口からの空気の流れを見ながら、上下フラップおよび／または左右ルーバーの位置調整を行う場合、蓄光部を視認することで、位置調整の精度が向上する。
【発明の効果】
【００２０】
室内機の吹出し口に設けた上下フラップおよび／または左右ルーバーの位置を制御スイッチのオン操作に基づく電気信号入力時間に対応する所定量だけ回動させることとしたので、上下フラップおよび／または左右ルーバーの任意の位置を設定することができ、ユーザの好みに応じた快適な空気調和を実現できる。
【図面の簡単な説明】
【００２１】
【図１】本開示の一実施形態に係る空気調和装置用ワイヤレスリモコンを用いた空気調和装置の斜視図である。
【図２】図１に示す空気調和装置用ワイヤレスリモコン操作釦の配置例の平面図である。
【図３】図２に示す空気調和装置用ワイヤレスリモコンの代替としてスマートフォンを使用した場合の操作釦の配置例の平面図である。
【発明を実施するための形態】
【００２２】
以下に、本開示の一実施形態について、図１及び図２を参照して説明する。図１に示されているように、空気調和装置１は、室内の壁面等に据え付けられる室内機２と、冷媒配管５を介して屋外に据え付けられ、圧縮機や室外熱交換器を備えた室外機６と、空気調和装置１を運転操作する双方向型のワイヤレスリモコン（空気調和装置用ワイヤレスリモコンユニット）７等から構成されている。
【００２３】
室内機２は、内部に室内熱交換器や送風ファンを備えている。室内機２は、正面の下部に設けられた吹出し口に上下フラップ３および左右ルーバー４を備えている。上下フラップ３は、水平方向に延在する板状体とされており、水平方向の回動軸を中心として先端側（手前側）が上下方向に図示しない駆動モータによって回動する。上下フラップ３は、１枚であっても２枚以上であっても良い。左右ルーバー４は、鉛直方向に向けて延在する複数の板状体とされている。左右ルーバー４の各板状体は、水平方向に間隔を空けて複数設けられている。左右ルーバー４の各板状体は、リンクによって整列した状態で先端側（手前側）が左右方向に図示しない駆動モータによって回動するようになっている。
【００２４】
上下フラップ３および／または左右ルーバー４の位置調整によって、ユーザの好みに応じた風向きが設定される。室内機２の本体内部には室内機側制御装置（図示省略）が内蔵されており、ワイヤレスリモコン７のリモコン側制御部（制御部）１２との間の信号の送受信によって、空気調和装置１が運転制御されるようになっている。
【００２５】
ワイヤレスリモコン７は、空気調和装置１の運転操作を行うとともに、空気調和装置１の運転状況を表示することが可能な双方向型のワイヤレスリモコン７である。ワイヤレスリモコン７の本体には、図２に示されるように、運転制御指令用の十字形釦（制御スイッチ）８の他、運転切替、温度、風向き、風量、タイマー、（モード切替or速度）等、複数の操作釦９が配列されている。本体を正面視した場合の上方部には、操作内容や空気調和装置１の運転状況を表示するための表示部１０が設けられている。十字形釦８及び各操作釦９の入力信号は、リモコン側制御部１２に送信される。
【００２６】
ワイヤレスリモコン７の十字形釦８について、ユーザが好む風向きの釦を選択の上、押圧してオン操作すると、釦を押し続けている間は、ワイヤレスリモコン７のリモコン側制御部１２の送信部１３から室内機側制御装置に向かって信号が継続的に送信される。送信された信号は、室内機側制御装置にて電気信号に変換され、運転制御指令として上下フラップ３および左右ルーバー４を回動させる駆動モータに入力される。
【００２７】
リモコン側制御部１２や室内機側制御部は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００２８】
室内機側制御装置は、リモコン側制御部１２から信号が継続して入力されている期間にわたって、上下フラップ３および／または左右ルーバー４を回動し続ける。これにより、ユーザの好みに応じた詳細な風向き調整が可能となる。
【００２９】
なお、十字形釦８は、上下左右または任意の方向に所定量回動させるための電気信号入力手段を備えていれば、ジョイスティック等、十字形釦８以外のものを使用してもよい。
十字形釦８を斜めに押した（上下釦および／または左右釦を同時に押した）場合は、上下方向の入力時間および左右方向の入力時間に応じて上下フラップ３および左右ルーバー４が同時に回動することになる。
【００３０】
ワイヤレスリモコン７の表示部１０には、室内機２の吹出し口からの空気（空調風）の流れが３次元で表示される。具体的には、図２に示すように、空気の流れが、室内機２を正面視した場合に上下左右方向だけでなく奥行き方向についても示される。ユーザは、表示部１０を見ながら、風向き調整を行ってもよい。
【００３１】
ワイヤレスリモコン７には、通知部１５が設けられている。通知部１５は、ワイヤレスリモコン７の十字形釦８を過剰に長く押し続けることを防止するために、上下フラップ３および／または左右ルーバー４の最大開口時または最大閉口時にユーザに通知する。通知部１５としては、光を発する発光手段（例えばＬＥＤ）や、音を発する発報手段（例えばスピーカ）が好適である。具体的には、ワイヤレスリモコン７の十字形釦８を押し続けて、上下フラップ３および／または左右ルーバー４が最大開口時または最大閉口時に達した場合に、リモコン側制御部１２は、運転制御指令が入力され続けているにもかかわらず、上下フラップ３および／または左右ルーバー４が回動しないことを検知することによって、室内機２から音または光が発せられるようになっている。
【００３２】
ワイヤレスリモコン７の本体に上下フラップ３および／または左右ルーバー４の回動速度についても調整可能なモード切替釦を設けても良い。モード切替釦は、上下フラップ３および／または左右ルーバー４の回動を制御する回動制御モードと、上下フラップ３および／または左右ルーバー４の回動速度を変更する回動速度モードとを切り換える。モード切替釦によって回動速度モードに切り替えた後、十字形釦８のオン操作を続けることにより、回動速度を変化させることができるようになっている。
【００３３】
例えば、十字形釦８の上側部分を押し続けると、回動速度が速くなり、十字形釦８の下側部分を押し続けると、回動速度が遅くなるように設定する。室内機側制御装置では上下フラップ３および／または左右ルーバー４の位置調整の場合と同様に、ユーザが押圧して十字形釦８をオン操作すると、釦を押し続けている間は、リモコン側制御部１２から室内機側制御装置に向かって信号が継続的に送信される。室内機側制御装置は、リモコン側制御部１２からの信号が継続して入力されている期間にわたって、上下フラップ３および／または左右ルーバー４の回動速度を変化させ続ける。こうすることによって、ユーザが上下フラップ３および／または左右ルーバー４の大まかな位置決め時には回動速度を速く、微調整時には回動速度を遅く設定するなど、ユーザの好みに応じた回動操作を行うことができる。
【００３４】
上下フラップ３および／または左右ルーバー４の先端（手前側）に蓄光塗料を塗布することによって蓄光部を形成しても良い。これにより、ユーザは、室内が暗い場合であっても上下フラップ３および／または左右ルーバー４の実際の回動位置を目視で確認しながら、ワイヤレスリモコン７の操作で位置調整を行うことができる。したがって、前記ワイヤレスリモコン７の表示部１０を見ながら、行う場合よりも精度良く位置調整を行うことができる。
【００３５】
なお、図３に変形例として示されるように、図２に示した空気調和装置用ワイヤレスリモコン７の代わりにスマートフォンやタブレット等の携帯型情報端末７’に置き換えて操作してもよい。
【００３６】
携帯型情報端末７’は、室内機２との間で情報通信を行う設定が可能となっている。携帯型情報端末７’には、表示面に、図２の十字形釦８に相当する十字形釦表示部８’と、図２の操作釦９に相当する操作釦表示部９’と、図２の表示部１０に相当する表示部１０’が表示される。
【００３７】
携帯型情報端末７’のタッチパネルに表示された十字形釦表示部８’へのタップ操作は、図２に示した十字形釦８の長押しと同様の機能を果たす。すなわち、十字形釦表示部８’を長押しすることによって、上下フラップ３および／または左右ルーバー４の回動位置や、回動速度を調整できるようになっている。
【符号の説明】
【００３８】
１      空気調和装置
２      室内機
３      上下フラップ
４      左右ルーバー
５      冷媒配管
６      室外機
７      ワイヤレスリモコン（空気調和装置用ワイヤレスリモコン）
７’    携帯型情報端末（空気調和装置用ワイヤレスリモコン）
８      十字形釦（制御スイッチ）
８’    十字形釦表示部（制御スイッチ）
９      操作釦
９’    操作釦表示部
１０，１０’    表示部
１２    リモコン側制御部（制御部）
１３    送信部
１５    通知部
【図１】
2020085391.tif 000003
【図２】
2020085391.tif 000004
【図３】
2020085391.tif 000005